(57)【要約】      （修正有）【課題】栽培されたじゅんさいをより早く、楽に少人数にて収穫すること、ならびに広い沼であっても、より多くの回数収穫作業を行うことができるじゅんさい収穫機を提供する。【解決手段】運転席を備えた運転台２と、運転台２に接続したフレーム３に設けた、じゅんさい沼の底を走行する駆動軸を備えた走行輪５と、走行輪５の駆動軸に駆動力を伝達するように接続された、走行輪５を回転させるためのモーターＭ１と、運転台２の進行方向前方に設けた水流形成用回転翼と、水流形成用回転翼の進行方向の後方に設けたじゅんさい切断刃７と、じゅんさい切断刃７より進行方向の後方に設けたじゅんさい回収用の網８と、運転台の周囲に設けた浮き９と、を有する。 【選択図】図１
0003186320.tif 000002
【実用新案登録請求の範囲】
【請求項１】
運転席を備えた運転台と、
運転台に接続したフレームに設けた、じゅんさい沼の底を走行する駆動軸を備えた走行輪と、
走行輪の駆動軸に駆動力を伝達するように接続された、走行輪を回転させるためのモーターと、
運転台の進行方向前方に設けた水流形成用回転翼と、
水流形成用回転翼の進行方向の後方に設けたじゅんさい切断刃と、
じゅんさい切断刃より進行方向の後方に設けたじゅんさい回収用の網と、
運転台の周囲に設けた浮きと、
を有するじゅんさい収穫機。
【請求項２】
走行輪が運転台の進行方向の前方の下方に２輪設けられている請求項１に記載のじゅんさい収穫機。
【請求項３】
じゅんさい切断刃がくし刃である請求項１又は２に記載のじゅんさい収穫機。
【請求項４】
じゅんさい切断刃が上下２段に設けられている請求項１〜３に記載のじゅんさい収穫機。
【請求項５】
走行輪の回転、水流形成用回転翼、及びじゅんさい切断刃は駆動源が電気であり、電源として蓄電池及び／又は太陽電池を備える請求項１〜４のいずれかに記載のじゅんさい収穫機。
【考案の詳細な説明】
【技術分野】
【０００１】
本考案はじゅんさいを収穫する際に使用される収穫機に関する。
【背景技術】
【０００２】
じゅんさいは水深０．５〜１ｍ程度の沼地にて栽培される作物であり、多年性の水生植物である。地下茎が横に拡がり、その地下茎からおよそ１５ｃｍ毎に茎が伸びて、茎は水面近くに達し水面に葉を付けると共に、さらに水面下の茎の途中から枝分かれした部分に新芽を付ける。
食用とする部分は水面に浮かぶ葉ではなく、その新芽であり、葉は丸く丸まっており、その表面は寒天状の粘液物で被覆されている。
【０００３】
このように、じゅんさいは沼地にて栽培される作物であり、その収穫は畑のようにトラクタ等によって機械化されることがなく、小さな浮舟に人が乗り、この浮舟を竿一本で操作しながら、水面下にある新葉を１つ１つ手で収穫している。
この浮舟に乗りながらの手による収穫作業は、収穫の効率が不十分であり、例えば、５０００ｍ2の沼地を７人で収穫した場合には、１回の収穫に約１ヶ月を要している。また、収穫と同時に雑草の除去も行うことがあるので、さらに収穫には手間がかかる。
さらに１日中浮船の上で腰をかがめ、水中に腕を入れて作業するために、その作業は極めて重労働といえる。
【０００４】
じゅんさいはその新芽を１度収穫した場合であっても、その収穫可能な期間内に５〜６回程度新しく新芽を発芽する植物であり、本来は、１年の収穫期間内に５〜６回は収穫することが可能である。
ところが、上記のように浮船に人がのって手作業で新芽をつみ取ることにより収穫を行うため、収穫期間内にせいぜい２〜３回程度しか新芽を収穫することができず、限られた人員で十分な収量を上げることが困難であった。
【０００５】
じゅんさいの収穫作業にかかる負担をより軽くし、効率を向上させることを目的として、舟に採取刃を設けてじゅんさいを切断する手段は、特許文献１に記載されているように公知である。しかしながら、この文献に記載された手段は、単にじゅんさいの茎を水中で切断するものであり、新芽とその他の葉が一体として切断されるので、その後に、作物として商品価値を有する新芽を選別することが困難である。
加えて、舟に採取刃を設けているので、舟が上下に揺れると共に採取刃も揺れることになり結果的にじゅんさいの茎を切断する箇所が一定ではない可能性がある。
【先行技術文献】
【特許文献】
【０００６】
【特許文献１】特開平１−３０４８１７号公報
【考案の概要】
【考案が解決しようとする課題】
【０００７】
本考案は上記の背景技術を鑑みてなされたものであり、その課題は、栽培されたじゅんさいをより早く、楽に少人数にて収穫すること、ならびに広い沼であっても、本来収穫時期内に５〜６回収穫可能なじゅんさいに対して、２〜３回の収穫回数ではなく、より多くの回数収穫作業を行うことである。
具体的には、沼底上でじゅんさい収穫機の車輪を回転させることにより、じゅんさい収穫機が移動するので、たとえ水面の波により従来の舟が上下する場合であっても、本考案のじゅんさい収穫機は上下せず、じゅんさいを切断する刃が予定するじゅんさいの茎の高さに正確に当てられ、より適切にじゅんさいの茎を切断し、その新芽を収穫する。このようにしてじゅんさいの収穫をより効率良く行うことを課題とする。
【課題を解決するための手段】
【０００８】
１．運転席を備えた運転台と、
運転台に接続したフレームに設けた、じゅんさい沼の底を走行する駆動軸を備えた走行輪と、
走行輪の駆動軸に駆動力を伝達するように接続された、走行輪を回転させるためのモーターと、
運転台の進行方向前方に設けた水流形成用回転翼と、
水流形成用回転翼の進行方向の後方に設けたじゅんさい切断刃と、
じゅんさい切断刃より進行方向の後方に設けたじゅんさい回収用の網と、
運転台の周囲に設けた浮きと、
を有するじゅんさい収穫機。
２．走行輪が運転台の進行方向の前方の下方に２輪設けられている１に記載のじゅんさい収穫機。
３．じゅんさい切断刃がくし刃である１又は２に記載のじゅんさい収穫機。
４．じゅんさい切断刃が上下２段に設けられている１〜３に記載のじゅんさい収穫機。
５．走行輪の回転、水流形成用回転翼、及びじゅんさい切断刃は駆動源が電気であり、電源として蓄電池及び／又は太陽電池を備える１〜４のいずれかに記載のじゅんさい収穫機。
【考案の効果】
【０００９】
本考案によれば、じゅんさいの収穫をより効率的に行うことができるので、１シーズンの収穫回数をより多くすることができ、収量を向上させることができる。また、手作業にて収穫をする必要がないので、収穫作業をより楽にすることができる。作業の間水中に手を入れ続ける必要もない。
【図面の簡単な説明】
【００１０】
【図１】本考案のじゅんさい収穫機の斜視図である。
【図２】本考案のじゅんさい収穫機の上面図である。
【図３】本考案のじゅんさい収穫機の側面図である。
【図４】本考案のじゅんさい収穫機の底面図である。
【考案を実施するための形態】
【００１１】
以下に、本考案について図面を基に説明する。
図１は本考案のじゅんさい収穫機１の斜視図であり、運転台２とフレーム３にじゅんさいの収穫に必要な各部材を取り付けてなる。運転台２にはじゅんさい収穫機１を運転する人が乗り、スイッチＳＷによりじゅんさい収穫機１の前進・後進とその速度調整、右折・左折を行う。運転台２にはじゅんさい収穫機の移動や収穫に必要な電源を供給するための蓄電池を箱Ｂ内に収納する。
【００１２】
本発明のじゅんさい収穫機１は、フレーム３に取り付けた回転軸４により回転される走行輪５が、じゅんさい沼の底を走行することにより移動することができる。
じゅんさいを収穫するためには、じゅんさいの茎を切断することが必要であり、本考案のじゅんさい収穫機は切断刃７を備えている。
この切断刃７により切断されたじゅんさいは、進行方向後方に設けた網８に集められ、逐次その網８ごと、又は網８から切断されたじゅんさいのみを別の容器などに移し替えられる。
なお、このとき、同時に雑草も切断することができる。
【００１３】
じゅんさいは沼の軟弱な底の泥中にて水平方向に地下茎を伸ばし、その節から芽を伸ばして水面に到る茎を形成し、さらに茎の途中から葉柄を伸ばし、これが食用として収穫されるものである。
走行輪５がじゅんさい沼の底にて回転することにより、じゅんさい収穫機は走行することができる。この走行輪５はモーターＭ１により回転される。このとき、走行輪５が沼の軟弱な底に接地して回転した結果、走行輪の一部が底の泥中に侵入し、じゅんさいの地下茎を切断したり、傷つけることを避ける必要がある。
【００１４】
このため、図１をみても明らかなように、走行輪５には羽根１０が付けられている。この羽根は走行時に沼の底に対して、より多くの接地面積を有し、例えば前方に進行する際には、回転する走行輪５の羽根１０が沼の底に接地する瞬間に底面と羽根表面がなるべく水平になるようにすることで、走行輪５が沼の底に沈みじゅんさいの地下茎を切断したり傷つけたりすることを防止する。
【００１５】
本考案のじゅんさい収穫機１の走行輪は図１に示すように２輪でよいが、３輪以上でもよい。いずれにしても上記のようにじゅんさいの地下茎に悪影響を与えないことが必要である。加えて、じゅんさい収穫機１の走行輪５に係る荷重を削減すればさらにじゅんさいの地下茎を傷つけることがない。
加えて、本考案のじゅんさい収穫機には、例えば図１に示すように運転台の周囲に浮き９を設けることができ、この浮き９により走行輪５に係る荷重を削減できる。
【００１６】
このように走行輪５によりじゅんさい収穫機を走行させつつ、切断刃７により沼中のじゅんさいを切断する。この切断刃は往復運動するくし刃でよく、モーターＭ２により駆動される。ここで、モーターＭ２はその一方にカバーが設けられ、他方は設けられていない状態で示されている。
【００１７】
図２は本考案のじゅんさい収穫機の上面図であり、この図においてじゅんさい収穫機は左方に移動しながら、じゅんさいを切断し収穫する。
本考案のじゅんさい収穫機は水流形成用回転翼６を備えており、じゅんさい収穫機が左方に移動するとともに水流形成用回転翼６が回転する。図示されているように水流形成用回転翼６は走行輪５の間に位置し、さらにじゅんさい沼の水面に位置するように設置される。
【００１８】
水流形成用回転翼６は中央部が細い筒型形状であり、糸巻き型ともいえる形状を有している。この水流形成用回転翼６がじゅんさい収穫機の幅方向とじゅんさい沼の水面に対して共に平行に位置する回転軸によって回転される。この回転によって、じゅんさい収穫機が移動するにつれ、水流形成用回転翼６によって起こされた水流や水流形成用回転翼６自体による力によって、じゅんさいの新芽が生えている茎が次々とじゅんさい収穫機の幅方向の中央に向けて集められる。
そのようにして集められたじゅんさいの茎を、まとめて切断刃７によって切断することができる。その後切断されたじゅんさいの茎や新芽は、じゅんさい収穫機の運転台２の底面であって、水中にもうけられた網８内に収容されることになる。
なおこのとき、雑草も切断された場合には、その雑草も同じく網８内に収納される。
【００１９】
図３は本考案のじゅんさい収穫機の側面図であり、進行方向は左側である。進行方向側には、順に走行輪５、水流形成用回転翼６、水流形成用回転翼６により集められたじゅんさいの茎や葉を切断するための切断刃ユニット１０が設けられ、さらに運転台２の下には網８が設置されている。
図３において、切断刃ユニット１０は２つ設けられている。これらは前後に位置すると同時に、後の切断刃ユニットは前の切断刃ユニットよりも切断刃が下方に位置するように設けられる。
【００２０】
このようにして２つの切断刃ユニット、つまり２つの切断刃が上下に設置されることにより、最初にじゅんさいの茎の上方部分を切断し、さらにより低い部分を切断するという２段の切断が可能になる。
これによって、食用となるじゅんさいの新芽は２つの刃の間にて切断された茎にあるようにでき、収穫後の選別作業をより簡単にすることができる。
なお、上記２つの切断刃のそれぞれの高さを、食用となるじゅんさいの新芽が生えている茎の、新芽の位置を挟む場所に位置するように調整すると、そのじゅんさいの新芽を有する茎の部分が、その下の茎から簡単に分離される。
さらに、２つの切断刃の上下の位置関係やそれぞれの刃の水面からの位置を調整することも可能で、栽培されているじゅんさいの、年や時期により水面からの位置が異なる食用の葉である新芽の部分に合わせて、より確実に茎を切断して分離収穫することができる。
【００２１】
なお、図３において、運転台２に屋根を付け雨や直射日光をさけるようにすることもできる。加えて、屋根部分に太陽電池ＳＰを設けて、本考案のじゅんさい収穫機を駆動する電源の一部とすることもできる。
【００２２】
図４に本考案のじゅんさい収穫機の沼の底からみた状態の底面図を示す。
この図においても左方が進行方向であり、水流形成用回転翼６により集められたじゅんさいの茎がその後方に続く２つの切断刃７により切断され、新芽を有する切断された茎がさらに続く運転台２の下面に設けた網８に収容されるものである。
この図において網８は運転台２の下面に設けた規制板１１によって形状を規制されることもできる。
【００２３】
そしてこれらの図１〜４に示すじゅんさい収穫機において、各部分の構造や形態は、図示したものに限定されず、同様の作用を発揮できる範囲において変更することが可能である。
【産業上の利用可能性】
【００２４】
本考案のじゅんさい収穫機は、じゅんさいの食用となる葉である新芽を収穫するにあたり、収穫作業の効率化と収穫回数の向上による収量向上を図ることができる。
また、同時に雑草を刈ることも可能である。
【符号の説明】
【００２５】
１・・・じゅんさい収穫機
２・・・運転台
３・・・フレーム
４・・・回転軸
５・・・走行輪
６・・・水流形成用回転翼
７・・・切断刃
８・・・網
９・・・浮き
１０・・・羽根
１１・・・規制板
Ｍ１・・・モーター１
Ｍ２・・・モーター２
ＳＷ・・・スイッチ
Ｂ・・・箱
ＳＰ・・・太陽電池
【図１】
0003186320.tif 000003
【図２】
0003186320.tif 000004
【図３】
0003186320.tif 000005
【図４】
0003186320.tif 000006
【手続補正書】
【提出日】平成25年7月26日(2013.7.26)
【手続補正１】
【補正対象書類名】実用新案登録請求の範囲
【補正対象項目名】請求項４
【補正方法】変更
【補正の内容】
【請求項４】
じゅんさい切断刃が上下２段に設けられている請求項１〜３のいずれか一項に記載のじゅんさい収穫機。
【手続補正２】
【補正対象書類名】明細書
【補正対象項目名】０００８
【補正方法】変更
【補正の内容】
【０００８】
１．運転席を備えた運転台と、
運転台に接続したフレームに設けた、じゅんさい沼の底を走行する駆動軸を備えた走行輪と、
走行輪の駆動軸に駆動力を伝達するように接続された、走行輪を回転させるためのモーターと、
運転台の進行方向前方に設けた水流形成用回転翼と、
水流形成用回転翼の進行方向の後方に設けたじゅんさい切断刃と、
じゅんさい切断刃より進行方向の後方に設けたじゅんさい回収用の網と、
運転台の周囲に設けた浮きと、
を有するじゅんさい収穫機。
２．走行輪が運転台の進行方向の前方の下方に２輪設けられている１に記載のじゅんさい収穫機。
３．じゅんさい切断刃がくし刃である１又は２に記載のじゅんさい収穫機。
４．じゅんさい切断刃が上下２段に設けられている１〜３のいずれかに記載のじゅんさい収穫機。
５．走行輪の回転、水流形成用回転翼、及びじゅんさい切断刃は駆動源が電気であり、電源として蓄電池及び／又は太陽電池を備える１〜４のいずれかに記載のじゅんさい収穫機。